(57)【要約】      （修正有）【課題】刃の位置決め効果を有する構造簡単なカッターナイフを提供する。【解決手段】位置決め部材１０と、本体２０と、取付孔３１を有する刃３０と、刃折り部材４０と、替刃座５０とを備える。位置決め部材１０は上ブロック１１と、下ブロック１２と、弾性部材１３とを有し、該上ブロック１１の一側の両端に押圧部１１１が設けられると共に、他側に溝１１２が形成され、該溝１１２に外側へ延伸する係止ブロック１１３と係止プレート１１４が設けられ、該係止プレート１１４の両端に夫々第一係止部１１５と第二係止部１１６が設けられる。【選択図】図２
0003105648.tif 000002
【実用新案登録請求の範囲】
【請求項１】
一側に開口を有する中空の本体を有し、本体に開口を有する収容溝が形成され、収容溝の開口側に歯を有する位置決め部が設けられ、収容溝に位置決め部材が収容されるカッターナイフであって、
前記位置決め部材は上ブロックと下ブロックと弾性部材を備え、該上ブロックの一側に溝が形成され、該溝に外側へ延伸する係止ブロックと係止プレートが設けられ、該係止プレートの両端に夫々第一係止部と第二係止部が設けられ、
該下ブロックの一側に開口を有し、他側に夫々係止ブロックと係止プレートに対応する係止孔と係止溝が形成され、一端に外側へ延伸する取付部が設けられ、該取付部の末端に取付ブロックが設けられ、下ブロックの開口側に摺動ブロックが設けられ、下ブロックの内部に係合ブロックが設けられ、下ブロックにおける係合ブロックの対向側に二つの貫通孔が形成され、
該弾性部材の両端に夫々貫通孔を介して位置決め部と噛合する第一湾曲部と第二湾曲部が設けられていることを特徴とする、カッターナイフ。
【請求項２】
前記収容溝の下部における本体に収容部が形成され、該収容部に替刃座が収容され、該替刃座に収容溝が形成され、該収容溝の一端に刃の取付孔に対応する位置決めブロックが設けられると共に、他端に挟持プレートが設けられることにより、替刃を収容することを特徴とする、請求項１に記載のカッターナイフ。
【請求項３】
前記本体の一端に突出部が設けられ、該突出部に刃折り部材が設けられ、該刃折り部材は相隣の側に開口を有する中空体であり、その一側の内縁に本体の突出部と嵌合する嵌合溝が形成され、開口を有しない側に刃折り溝が形成され、上ブロックの一側に押圧部が設けられ、下ブロックの内部に係合ブロックが設けられ、該係合ブロックと下ブロックの内壁との隙間が弾性部材の厚さと等しいことを特徴とする、請求項２に記載のカッターナイフ。
【考案の詳細な説明】
【技術分野】
【０００１】
本考案は、特に刃の位置決め効果を有する構造簡単のカッターナイフに関するものである。
【背景技術】
【０００２】
従来のカッターナイフは刃の位置決め効果を有し、即ち刃がカッターナイフの本体で伸縮する際、カッターナイフにおける位置決め部材によって刃を位置決めることにより、刃がカッターナイフの本体で摺動することを防止できる。
【０００３】
従来のカッターナイフは、刃固定座と押しボタンによって刃を位置決めするものが台湾実用新案公告第２４１６１３号に記載されている。
【考案の開示】
【考案が解決しようとする課題】
【０００４】
しかしながら、前記従来のカッターナイフは、刃の位置決め効果を達成するため、刃固定座に平面部、突出ブロック、凸柱、中央孔、溝、スプリング及び係合ブロックなど複雑な構造が形成されるので、製造コストが高く、製造工程が複雑である問題を有する。
【０００５】
そこで、案出されたのが本考案であって、刃の位置決め効果を有する構造簡単なカッターナイフを提供することを目的としている。
【課題を解決するための手段】
【０００６】
本願の請求項１の考案は、一側に開口を有する中空の本体を有し、本体に開口を有する収容溝が形成され、収容溝の開口側に歯を有する位置決め部が設けられ、収容溝に位置決め部材が収容されるカッターナイフであって、
前記位置決め部材は上ブロックと下ブロックと弾性部材を備え、該上ブロックの一側に溝が形成され、該溝に外側へ延伸する係止ブロックと係止プレートが設けられ、該係止プレートの両端に夫々第一係止部と第二係止部が設けられ、
該下ブロックの一側に開口を有し、他側に夫々係止ブロックと係止プレートに対応する係止孔と係止溝が形成され、一端に外側へ延伸する取付部が設けられ、該取付部の末端に取付ブロックが設けられ、下ブロックの開口側に摺動ブロックが設けられ、下ブロックの内部に係合ブロックが設けられ、下ブロックにおける係合ブロックの対向側に二つの貫通孔が形成され、
該弾性部材の両端に夫々貫通孔を介して位置決め部と噛合する第一湾曲部と第二湾曲部が設けられていることを特徴とするカッターナイフ及び、
本願の請求項２の考案は、前記収容溝の下部における本体に収容部が形成され、該収容部に替刃座が収容され、該替刃座に収容溝が形成され、該収容溝の一端に刃の取付孔に対応する位置決めブロックが設けられると共に、他端に挟持プレートが設けられることにより、替刃を収容することを特徴とする請求項１に記載のカッターナイフ及び、
本願の請求項３の考案は、前記本体の一端に突出部が設けられ、該突出部に刃折り部材が設けられ、該刃折り部材は相隣の側に開口を有する中空体であり、その一側の内縁に本体の突出部と嵌合する嵌合溝が形成され、開口を有しない側に刃折り溝が形成され、上ブロックの一側に押圧部が設けられ、下ブロックの内部に係合ブロックが設けられ、該係合ブロックと下ブロックの内壁との隙間が弾性部材の厚さと等しいことを特徴とする請求項２に記載のカッターナイフ、を提供する。
【考案の効果】
【０００７】
本考案は上記の課題を解決するものであり、位置決め部材における弾性部材の第一湾曲部と第二湾曲部が歯を有する位置決め部と噛合することにより、簡単に刃を位置決めすることができ、又、本考案は構造簡単で、製造コストを下げることができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係るカッターナイフの斜視図であり、図２は本考案に係るカッターナイフの分解斜視図であり、図３は本考案に係るカッターナイフの上ブロックを示す斜視図であり、図４は本考案に係るカッターナイフの刃と替刃座を示す分解斜視図であり、図５及び図６は本考案に係るカッターナイフの使用状態を示す部分要部断面図であり、図７は本考案に係るカッターナイフの使用状態を示す平面図である。
【００１０】
図１及び図２に示すように、本考案に係るカッターナイフは位置決め部材（１０）と、本体（２０）と、取付孔（３１）を有する刃（３０）と、刃折り部材（４０）と、替刃座（５０）とを備える。
【００１１】
図２及び図３に示すように、前記位置決め部材（１０）は上ブロック（１１）と、下ブロック（１２）と、弾性部材（１３）とを有し、該上ブロック（１１）の一側の両端に押圧部（１１１）が設けられると共に、他側に溝（１１２）が形成され、該溝（１１２）に外側へ延伸する係止ブロック（１１３）と係止プレート（１１４）が設けられ、該係止プレート（１１４）の両端に夫々第一係止部（１１５）と第二係止部（１１６）が設けられる。
【００１２】
前記下ブロック（１２）は、一側に開口を有する中空のブロックであり、他側に夫々係止ブロック（１１３）と係止プレート（１１４）に対応する係止孔（１２１）と係止溝（１２２）が形成され、一端に外側へ延伸する取付部（１２３）が設けられ、該取付部（１２３）と下ブロック（１２）との連接箇所に挟持プレート（１２８）が設けられ、該取付部（１２３）の末端に取付ブロック（１２４）が設けられ、又、下ブロック（１２）の開口側に摺動ブロック（１２７）が設けられる。
【００１３】
又、図５に示すように、下ブロック（１２）の内部に係合ブロック（１２５）が設けられ、該係合ブロック（１２５）と下ブロック（１２）の内壁との隙間が弾性部材（１３）の厚さと等しく、下ブロック（１２）における係合ブロック（１２５）の対向側に二つの貫通孔（１２６）が形成され、前記弾性部材（１３）の両端に夫々貫通孔（１２６）に挿入する第一湾曲部（１３１）と第二湾曲部（１３２）が設けられる。
【００１４】
図２に示すように、前記本体（２０）は、一側に開口を有する中空の棒体であり、内部に摺動ブロック（１２７）を摺動自由に収容するため開口を有する収容溝（２１）が形成され、収容溝（２１）の下部における本体（２０）に収容部（２２）が形成され、本体（２０）の一端に突出部（２３）が設けられると共に、収容溝（２１）の開口側に歯を有する位置決め部（２４）が設けられる。
【００１５】
前記刃折り部材（４０）は相隣の側に開口を有する中空体であり、その一側の内縁に本体（２０）の突出部（２３）と嵌合する嵌合溝（４１）が形成され、開口を有しない側に刃折り溝（４２）が形成される。
【００１６】
又、図４に示すように、前記替刃座（５０）に収容溝（５１）が形成され、該収容溝（５１）の一端に刃（３０）の取付孔（３１）に対応する位置決めブロック（５２）が設けられると共に、他端に挟持プレート（５３）が設けられることにより、替刃（３０）を収容することができ、又、挟持プレート（５３）を有する替刃座（５０）の一端に取手部（５４）が設けられる。
【００１７】
図２、図３及び図５に示すように、本考案に係るカッターナイフを組合せる場合、先ず弾性部材（１３）が下ブロック（１２）の開口側から係合ブロック（１２５）と下ブロック（１２）の内壁との間に挿入され、上部ロック（１１）の係止ブロック（１１３）が下ブロック（１２）の係止孔（１２１）に係止され、係止プレート（１１４）が係止溝（１２２）に係止されることにより、上ブロック（１１）が下ブロック（１２）の上側に設けられ、刃（３０）の取付孔（３１）が下ブロック（１２）の取付ブロック（１２４）に設置されると共に、刃（３０）の一端が挟持プレート（１２８）によって固定され、刃（３０）と位置決め部材（１０）の摺動ブロック（１２７）が一緒に本体（２０）の収容溝（２１）に挿入され、替刃（３０）が替刃座（５０）に設置され、替刃（３０）と替刃座（５０）が一緒に本体（２０）の収容部（２２）に挿入され、最後に、刃折り部材（４０）の嵌合溝（４１）が本体（２０）の突出部（２３）と嵌合されることにより、刃折り部材（４０）が本体（２０）の一端に固定される。
【００１８】
図５乃至図７に示すように、本考案に係るカッターナイフは、弾性部材（１３）の第一湾曲部（１３１）と第二湾曲部（１３２）が夫々下ブロック（１２）の貫通孔（１２６）を介して位置決め部（２４）と噛合され、使用者は上ブロック（１１）を押圧しない際、第一湾曲部（１３１）と第二湾曲部（１３２）が夫々位置決め部（２４）に噛合されることにより、位置決め部材（１０）は本体（２０）に対して摺動しない。
【００１９】
図５及び図７に示すように、使用者は上ブロック（１１）の押圧部（１１１）を押圧する場合、第一係止部（１１５）が第一湾曲部（１３１）を押圧すると共に、該第一湾曲部（１３１）が位置決め部（２４）と離間されることにより、位置決め部材（１０）を刃（３０）と一緒に本体（２０）に対して摺動することができ、この際、第二湾曲部（１３２）が位置決め部（２４）に沿って摺動することができる。又、刃（３０）の使用中、第二湾曲部（１３２）が位置決め部（２４）に噛合されることにより、位置決め部材（１０）の摺動を防止できる。
【００２０】
図６に示すように、刃（３０）を収容溝（２１）に収納する場合、使用者は上ブロック（１１）の押圧部（１１１）を押圧し、第二係止部（１１６）が第二湾曲部（１３２）を押圧すると共に、該第一湾曲部（１３２）が位置決め部（２４）と離間されることにより、位置決め部材（１０）を刃（３０）と一緒に本体（２０）の内部に収納することができ、この際、第一湾曲部（１３１）が位置決め部（２４）に沿って摺動することができる。
【産業上の利用可能性】
【００２１】
本考案は上記の構成を有するので、位置決め部材における弾性部材の第一湾曲部と第二湾曲部が歯を有する位置決め部と噛合することにより、簡単に刃を位置決めすることができ、又、本考案は構造簡単で、製造コストを下げることができる。
【図面の簡単な説明】
【００２２】
【図１】本考案に係るカッターナイフの斜視図である。
【図２】本考案に係るカッターナイフの分解斜視図である。
【図３】本考案に係るカッターナイフの上ブロックを示す斜視図である。
【図４】本考案に係るカッターナイフの刃と替刃座を示す分解斜視図である。
【図５】本考案に係るカッターナイフの使用状態を示す部分要部断面図である。
【図６】本考案に係るカッターナイフの使用状態を示す部分要部断面図である。
【図７】本考案に係るカッターナイフの使用状態を示す平面図である。
【符号の説明】
【００２３】
１０        位置決め部材
１１        上ブロック
１１１      押圧部
１１２      溝
１１３      係止ブロック
１１４      係止プレート
１１５      第一係止部
１１６      第二係止部
１２        下ブロック
１２１      係止孔
１２２      係止溝
１２３      取付溝
１２４      取付ブロック
１２５      係合ブロック
１２６      貫通孔
１２７      摺動ブロック
１２８      挟持プレート
１３        弾性部材
１３１      第一湾曲部
１３２      第二湾曲部
２０        本体
２１        収容溝
２２        収容部
２３        突出部
２４        位置決め部
３０        刃
３１        取付孔
４０        刃折り部材
４１        嵌合溝
４２        刃折り溝
５０        替刃座
５１        収容溝
５２        位置決めブロック
５３        挟持プレート
５４        取手部
【図１】
0003105648.tif 000003
【図２】
0003105648.tif 000004
【図３】
0003105648.tif 000005
【図４】
0003105648.tif 000006
【図５】
0003105648.tif 000007
【図６】
0003105648.tif 000008
【図７】
0003105648.tif 000009